(57)【要約】【課題】カラオケ装置による演奏に新たな娯楽性を付加する電子早見本装置を提供する。【解決手段】カラオケ装置１６により出力される演奏曲の出力速度及び音程を同期的に変更させる入力を行うためのターンテーブル１３６を、利用者の接触に応じての操作可能にタッチパネルディスプレイ６８に表示させるＤＪモード表示制御手段１１０及びＤＪモード入力制御手段１１２を備えたものであることから、電子早見本装置２２によりカラオケ装置１６による演奏を制御するための擬似的なターンテーブル型インターフェイスを実現でき、あたかもクラブでＤＪが行うような従来になかった演奏形態が可能とされる。すなわち、カラオケ装置１６による演奏に新たな娯楽性を付加する電子早見本装置２２を提供することができる。【選択図】図５
2008242263.tif 000002
【特許請求の範囲】
【請求項１】
多数の演奏曲のうちから選択される所定の演奏曲を出力させるカラオケ装置を遠隔操作するために、所定の映像を表示させると共に利用者の接触に応じて前記カラオケ装置への入力を行うタッチパネルディスプレイを備えた電子早見本装置であって、
前記カラオケ装置により出力される演奏曲の出力速度及び音程を同期的に変更させる入力を行うためのターンテーブルを、利用者の接触に応じての操作可能に前記タッチパネルディスプレイに表示させるＤＪモード表示／入力制御手段を備えたものであることを特徴とする電子早見本装置。
【請求項２】
前記ＤＪモード表示／入力制御手段は、前記カラオケ装置により出力される演奏曲の音量を変更させる入力を行うためのボリュームつまみを、利用者の接触に応じての操作可能に前記タッチパネルディスプレイに表示させるものである請求項１の電子早見本装置。
【請求項３】
前記カラオケ装置は、複数の演奏曲を併行して出力し得るものであり、前記ＤＪモード表示／入力制御手段は、該カラオケ装置により併行して出力される演奏曲それぞれに対応して前記ボリュームつまみを前記タッチパネルディスプレイに表示させるものである請求項２の電子早見本装置。
【請求項４】
前記カラオケ装置は、複数の演奏曲を併行して出力し得るものであり、前記ＤＪモード表示／入力制御手段は、該カラオケ装置により併行して出力される複数の演奏曲の出力割合を変更させる入力を行うためのミックスつまみを、利用者の接触に応じての操作可能に前記タッチパネルディスプレイに表示させるものである請求項１から３の何れかの電子早見本装置。
【請求項５】
前記カラオケ装置は、複数の演奏曲を併行して出力し得るものであり、前記ＤＪモード表示／入力制御手段は、該カラオケ装置により併行して出力される複数の演奏曲のうち何れかの演奏曲の出力を停止させる入力を行うための停止ボタンを、利用者の接触に応じての操作可能に前記タッチパネルディスプレイに表示させるものである請求項１から４の何れかの電子早見本装置。
【請求項６】
前記ＤＪモード表示／入力制御手段は、前記停止ボタンにより出力が停止された演奏曲の出力を再開させる入力を行うための再開ボタンを、利用者の接触に応じての操作可能に前記タッチパネルディスプレイに表示させるものである請求項５の電子早見本装置。
【発明の詳細な説明】
【技術分野】
【０００１】
本発明は、多数の演奏曲のうちから選択される所定の演奏曲を出力させるカラオケ装置を遠隔操作するための電子早見本装置に関し、特に、その電子早見本装置によるカラオケ装置の新たな操作技術に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の映像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ、利用者の指や備え付けのペン等によりそのタッチパネルディスプレイに接触（タッチ入力）することにより簡便に上記カラオケ装置への入力を行うことができる。
【０００４】
【特許文献１】特開２００３−２０２８７２号公報
【０００５】
ところで、近年、制御装置の小型化・高性能化は進展の一途をたどり、前記電子早見本装置にも比較的高度且つ高速な情報処理が可能な制御装置が搭載されるようになった。しかし、前述したような従来の電子早見本装置は、専ら前記カラオケ装置への選曲入力等といった基本的な入力処理を行うものであり、斯かる制御装置の能力を十分に活用できてはいなかった。本発明者等は、前記電子早見本装置の情報処理能力を活用すべく鋭意研究を続けた一結果として、前記カラオケ装置による演奏に新たな娯楽性を付加する、そのカラオケ装置により出力される演奏曲の出力速度及び音程等をダイナミックに制御し得るターンテーブル型インターフェイスを発案するに至った。
【発明の開示】
【発明が解決しようとする課題】
【０００６】
本発明は、以上の事情を背景として為されたものであり、その目的とするところは、カラオケ装置による演奏に新たな娯楽性を付加する電子早見本装置を提供することにある。
【課題を解決するための手段】
【０００７】
斯かる目的を達成するために、本発明の要旨とするところは、多数の演奏曲のうちから選択される所定の演奏曲を出力させるカラオケ装置を遠隔操作するために、所定の映像を表示させると共に利用者の接触に応じて前記カラオケ装置への入力を行うタッチパネルディスプレイを備えた電子早見本装置であって、前記カラオケ装置により出力される演奏曲の出力速度及び音程を同期的に変更させる入力を行うためのターンテーブルを、利用者の接触に応じての操作可能に前記タッチパネルディスプレイに表示させるＤＪモード表示／入力制御手段を備えたことを特徴とするものである。
【発明の効果】
【０００８】
このようにすれば、前記カラオケ装置により出力される演奏曲の出力速度及び音程を同期的に変更させる入力を行うためのターンテーブルを、利用者の接触に応じての操作可能に前記タッチパネルディスプレイに表示させるＤＪモード表示／入力制御手段を備えたものであることから、前記電子早見本装置により前記カラオケ装置による演奏を制御するための擬似的なターンテーブル型インターフェイスを実現でき、あたかもクラブでＤＪが行うような従来になかった演奏形態が可能とされる。すなわち、カラオケ装置による演奏に新たな娯楽性を付加する電子早見本装置を提供することができる。
【０００９】
ここで、好適には、前記ＤＪモード表示／入力制御手段は、前記カラオケ装置により出力される演奏曲の音量を変更させる入力を行うためのボリュームつまみを、利用者の接触に応じての操作可能に前記タッチパネルディスプレイに表示させるものである。このようにすれば、更に実物に近く本格的な操作が可能なターンテーブル型インターフェイスを前記電子早見本装置により実現できるという利点がある。
【００１０】
また、好適には、前記カラオケ装置は、複数の演奏曲を併行して出力し得るものであり、前記ＤＪモード表示／入力制御手段は、そのカラオケ装置により併行して出力される演奏曲それぞれに対応して前記ボリュームつまみを前記タッチパネルディスプレイに表示させるものである。このようにすれば、更に実物に近く本格的な操作が可能なターンテーブル型インターフェイスを前記電子早見本装置により実現できるという利点がある。
【００１１】
また、好適には、前記カラオケ装置は、複数の演奏曲を併行して出力し得るものであり、前記ＤＪモード表示／入力制御手段は、そのカラオケ装置により併行して出力される複数の演奏曲の出力割合を変更させる入力を行うためのミックスつまみを、利用者の接触に応じての操作可能に前記タッチパネルディスプレイに表示させるものである。このようにすれば、更に実物に近く本格的な操作が可能なターンテーブル型インターフェイスを前記電子早見本装置により実現できるという利点がある。
【００１２】
また、好適には、前記カラオケ装置は、複数の演奏曲を併行して出力し得るものであり、前記ＤＪモード表示／入力制御手段は、そのカラオケ装置により併行して出力される複数の演奏曲のうち何れかの演奏曲の出力を停止させる入力を行うための停止ボタンを、利用者の接触に応じての操作可能に前記タッチパネルディスプレイに表示させるものである。このようにすれば、更に実物に近く本格的な操作が可能なターンテーブル型インターフェイスを前記電子早見本装置により実現できるという利点がある。
【００１３】
また、好適には、前記ＤＪモード表示／入力制御手段は、前記停止ボタンにより出力が停止された演奏曲の出力を再開させる入力を行うための再開ボタンを、利用者の接触に応じての操作可能に前記タッチパネルディスプレイに表示させるものである。このようにすれば、更に実物に近く本格的な操作が可能なターンテーブル型インターフェイスを前記電子早見本装置により実現できるという利点がある。
【００１４】
以下、本発明の好適な実施例を図面に基づいて詳細に説明する。
【実施例】
【００１５】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６は、ルータ２８を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。このサーバ装置２０は、カラオケ情報（楽曲データ）、背景映像情報、曲間情報等のデジタルコンテンツ（Digital Contents）の保管や入出力管理の基本的な制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記カラオケシステム１０は、本発明の一実施例である複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１６】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ＣＲＴコントローラ等の映像出力制御部３２と、映像情報デコーダ３４と、ビデオミキサ３６と、音源であるシンセサイザ３８と、音声入力装置であるマイクロフォン４０と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置６４等の入力装置からのリモコン信号を受信するためのリモコン受信部６２とを、備えて構成されている。
【００１７】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサへ送られる。また、前記ビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００１８】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。
【００１９】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００２０】
上記ＣＰＵ５０は、上記ＲＡＭ５４の一時記憶機能を利用しつつ上記ＲＯＭ５２に予め記憶された所定のプログラムに基づいて電子情報を処理・制御する所謂マイクロコンピュータであり、上記電子早見本装置２２やリモコン装置６４等により所定のカラオケ演奏曲が選曲された場合、その選曲されたカラオケ演奏曲を上記ＲＡＭ５４に設けられた予約曲テーブルに登録したり、その予約曲テーブルの演奏順に従って上記ハードディスク５６から上記ＲＡＭ５４に選曲されたカラオケ演奏曲の演奏情報及び歌詞情報等を読み出したり、カラオケ演奏曲の演奏が進行するのに応じてそのＲＡＭ５４から上記シンセサイザ３８へ演奏情報を送信したり、歌詞情報に基づいて歌詞文字映像を生成して上記映像出力制御部３２へ送ったり、選曲時には曲名文字映像を生成して上記映像出力制御部３２へ送ったり、上記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の基本的な制御に加えて、前記電子早見本装置２２からの入力信号に応じて後述するＤＪモード演奏制御を実行する。
【００２１】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００２２】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。
【００２３】
前記ハードディスク５６には、カラオケ演奏曲を出力させるための多数のカラオケデータ（楽曲データ）を記憶するカラオケデータベース１０４（図５を参照）をはじめとする各種データベースが設けられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たな楽曲データ等が前記サーバ装置２０から前記通信回線１８を介して配信され、前記ハードディスク５６のカラオケデータベース１０４等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記カラオケデータベース１０４等の内容が等価なものとされる。そのカラオケデータベース１０４に記憶されるカラオケデータは、前記シンセサイザ３８により所定の楽器の演奏音を生成するための演奏情報及び歌詞文字映像（歌詞テロップ）を生成するための歌詞情報から成るものであり、コンテンツＩＤである各演奏曲に固有の選曲番号により識別される。
【００２４】
図３は、本発明の一実施例である電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ６８を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル６６を備えている。前記電子早見本装置２２は、そのクレイドル６６に取り付けられた状態又はそのクレイドル６６から取り外された状態で用いられ、取り付けられた状態においては、そのクレイドル６６及びＬＡＮ２４を介して前記カラオケ装置１６に有線接続されるようになっている。また、上記クレイドル６６から取り外された状態においては、上記アクセスポイント２６及びＬＡＮ２４を介して前記カラオケ装置１６に無線接続されるようになっている。
【００２５】
図４は、前記電子早見本装置２２の構成を説明するブロック線図である。この図４に示すように、前記電子早見本装置２２は、上記タッチパネルディスプレイ６８に所定の映像を表示させる表示装置７２と、その表示装置７２による表示を制御する表示制御部７４と、利用者の指や図示しない備え付けのペン等によるタッチパネルディスプレイ６８への接触により入力を行うタッチパネル７６と、そのタッチパネル７６による入力を制御する入力制御部７８と、中央演算処理装置であるＣＰＵ８０と、読出専用メモリであるＲＯＭ８２と、随時書込読出メモリであるＲＡＭ８４と、フラッシュＲＯＭ等の記憶部８６と、インターフェイス８８と、リモコン送信部９０と、無線ＬＡＮ通信部９２と、上記クレイドル６６と電気的な接続を可能とするためのコネクタ９６ａとを、備えて構成されている。上記クレイドル６６には、斯かる電子早見本装置２２と電気的な接続を可能とするためのコネクタ９６ｂが設けられており、前記電子早見本装置２２は、前記クレイドル６６に載置されて上記コネクタ９６ａ及び９６ｂが相互に接触させられることで、上記インターフェイス８８を介して前記クレイドル６６乃至はＬＡＮ２４に接続されるようになっている。また、上記記憶部８６には、演奏曲データベース１００及びターンテーブルデータベース１０２（図５を参照）をはじめとする各種データベースが設けられている。
【００２６】
上記ＣＰＵ８０は、上記ＲＡＭ８４の一時記憶機能を利用しつつ上記ＲＯＭ８２に記憶された情報に基づいて情報処理を実行する所謂マイクロコンピュータであり、上記表示制御部７４を介して前記タッチパネルディスプレイ６８（表示装置７２）に所定の映像を表示させたり、その映像に基づく前記タッチパネルディスプレイ６８（タッチパネル７６）への接触により上記入力制御部７８を介して入力される入力信号を処理したり、その入力信号に基づき前記無線ＬＡＮ通信部９２等を介して前記カラオケ装置１６へ選曲入力をはじめとする入力送信を行ったり、マスターコマンダである前記カラオケ装置１６ａを介して前記センタ装置２０との間で情報の通信を行う等といった基本的な制御に加えて、後述するＤＪモード表示／入力制御を実行する。
【００２７】
前記演奏曲データベース１００には、前記カラオケ装置１６により出力可能な演奏曲の情報が記憶されている。具体的には、前記カラオケ装置１６のカラオケデータベース１０４に記憶された多数のカラオケ情報それぞれに対応して曲名、アーティスト名、属性情報、歌詞の歌い出し部分等の選曲案内情報、及び備考等が選曲番号毎に記憶されている。また、前記ターンテーブルデータベース１０２には、前記タッチパネルディスプレイ６８（表示装置７２）に後述する図６及び図７に示すようなターンテーブルセット映像１３４を表示させると共に、そのターンテーブルセット映像１３４への利用者の接触に応じて前記カラオケ装置１６への入力送信を行うための種々の情報が記憶されている。
【００２８】
図５は、前記カラオケ装置１６のＣＰＵ５０及び電子早見本装置２２のＣＰＵ８０に備えられた制御機能の要部を説明する機能ブロック線図である。この図５に示すＤＪモード表示制御手段１１０及びＤＪモード入力制御手段１１２は前記電子早見本装置２２のＣＰＵ８０に、ＤＪモード演奏制御手段１２２は前記カラオケ装置１６のＣＰＵ５０にそれぞれ機能的に備えられたものである。
【００２９】
上記ＤＪモード表示制御手段１１０は、本実施例のＤＪモードにおける前記カラオケ装置１６への入力操作を行うためのインターフェイスとしてのターンテーブルセット映像１３４を前記タッチパネルディスプレイ６８（表示装置７２）に表示させる。具体的には、前記ターンテーブルデータベース１０２に記憶された情報に基づいて、前記カラオケ装置１６により出力される演奏曲の出力速度及び音程を同期的に変更させる入力を行うための円形状のターンテーブル１３６、音量を変更させる入力を行うためのボリュームつまみ１３８、演奏曲の出力割合を変更させる入力を行うためのミックスつまみ１４０、演奏曲の出力を停止／再開させるための停止／再開ボタン１４２、及び制御対象である演奏曲の情報を表示させるための曲情報表示窓１４４を含む図６に示すようなターンテーブルセット映像１３４を、利用者の接触に応じての操作可能に前記タッチパネルディスプレイ６８（表示装置７２）に表示させる。好適には、上記ボリュームつまみ１３８、停止／再開ボタン１４２、及び曲情報表示窓１４４は、制御対象である２曲の演奏曲それぞれに対応して表示させる。また、好適には、上記ボリュームつまみ１３８及びミックスつまみ１４０を利用者の接触操作に応じて所定の方向（図６では紙面向かって上下方向）にスライド可能に表示させる。また、好適には、上記ターンテーブル１３６をその中心まわりに所定の回転角速度で例えば１分間に４５回まわっているように回転（自転）表示させる。更に好適には、利用者の接触操作に応じてそのターンテーブル１３６の回転速度を変化させるように表示させる。
【００３０】
ここで、前記カラオケ装置１６は同時に２曲の演奏曲を出力可能であり、本実施例のＤＪモードでは前記カラオケ装置１６により併行して出力される２曲の演奏曲の演奏制御を行う態様について説明する。なお、前記ＤＪモード表示制御手段１１０は、図６に示すように、上記ターンテーブルセット映像１３４における曲情報表示窓１４４に制御対象である２曲の演奏曲の曲名及び歌手名を表示させる。また、好適には、それぞれの曲情報表示窓１４４に表示される演奏曲の曲名及び歌手名を紙面向かって左右方向にスクロール表示させる。
【００３１】
前記ＤＪモード入力制御手段１１２は、前記ＤＪモード表示制御手段１１０により上記ターンテーブルセット映像１３４が表示された前記タッチパネルディスプレイ６８（タッチパネル７６）に対する利用者の接触操作（タッチ入力操作）に応じて前記カラオケ装置１６へ本実施例のＤＪモードにおける所定の入力送信制御を行う。斯かる制御を行うために、ターンテーブル入力制御手段１１４、ボリュームつまみ入力制御手段１１６、ミックスつまみ入力制御手段１１８、及び停止／再開ボタン入力制御手段１２０を含んでいる。以下、これらの制御機能による前記カラオケ装置１６への入力送信制御について分説する。
【００３２】
上記ターンテーブル入力制御手段１１４は、前記タッチパネルディスプレイ６８（タッチパネル７６）における前記ターンテーブル１３６に相当する部分に対する利用者の接触操作に応じて、前記カラオケ装置１６により出力される演奏曲の出力速度及び音程を同期的に変更させる入力信号をそのカラオケ装置１６へ送信する。具体的には、利用者が前記ターンテーブル１３６をその中心まわりになぞる速度に応じてそのターンテーブル１３６の回転速度を算出し、その算出結果に応じて制御対象である演奏曲の出力速度及び音程を同期的に変更させる入力信号を、前記インターフェイス８８及びＬＡＮ２４等を介して前記カラオケ装置１６へ送信する。例えば、前記タッチパネル７６に表示されたターンテーブル１３６をなぞる接触操作が行われた場合、その始点（ｘ１，ｙ１）、終点（ｘ２，ｙ２）、それら始点乃至終点間の移動に要した時間Δｔ（実際には、単位時間毎にその時点における座標を記録していく処理になる）を記録し、それらの情報から前記ターンテーブル１３６の回転速度を算出する。前記ターンテーブル１３６の中心点を原点（０，０）とし、上記始点を極座標系へ変換すると原点からの距離ｒ１＝（ｘ１2＋ｙ１2）1/2、成す角θ１＝ｓｉｎ-1（ｙ１／ｒ１）、終点ｒ２＝（ｘ２2＋ｙ２2）1/2、θ２＝ｓｉｎ-1（ｙ２／ｒ２）となる。従って、移動量Δθ＝θ２−θ１となり、角速度ω１＝Δθ／Δｔとなる。一方、前記ターンテーブル１３６への接触操作が行われない場合のそのターンテーブル１３６の各速度ω２は２π／１．３３である。前記ターンテーブル入力制御手段１１４は、好適には、前記ターンテーブル１３６に対する接触操作が行われた場合におけるそのターンテーブル１３６の仮想的な回転角速度ω１と、接触操作が行われない場合におけるそのターンテーブル１３６の仮想的な回転角速度ω２との比すなわちω１／ω２に基づいて前記カラオケ装置１６により出力される演奏曲の出力速度及び音程を同期的に変更させる入力信号をそのカラオケ装置１６へ送信するものであり、例えば、そのカラオケ装置１６による制御対象曲の演奏速度をω１／ω２倍の早さにすると共に、その音程すなわち各周波数成分の周波数をω１／ω２倍とするための入力信号を前記カラオケ装置１６へ送信する。
【００３３】
前記ボリュームつまみ入力制御手段１１６は、前記タッチパネルディスプレイ６８（タッチパネル７６）における前記ボリュームつまみ１３８に相当する部分に対する利用者の接触操作に応じて、前記カラオケ装置１６により出力される演奏曲の音量（ボリューム）を変更させる入力信号をそのカラオケ装置１６へ送信する。具体的には、利用者が前記ボリュームつまみ１３８を操作してそのスライド可能範囲における相対位置が変化した場合、その相対位置に応じて制御対象である演奏曲の音量を変化させる入力信号を、前記インターフェイス８８及びＬＡＮ２４等を介して前記カラオケ装置１６へ送信する。前記ボリュームつまみ１３８の相対位置と演奏曲の音量との関係は、例えばそのボリュームつまみ１３８が図６の紙面向かって上方向に位置させられるほど大きな音量となるように予め定められたものであり、前記ボリュームつまみ入力制御手段１１６は、好適には、その最上位置においてはボリューム最大、最下位置においてはボリューム最小（＝０）とされるような入力信号を前記カラオケ装置１６へ送信する。
【００３４】
前記ミックスつまみ入力制御手段１１８は、前記タッチパネルディスプレイ６８（タッチパネル７６）における前記ミックスつまみ１４０に相当する部分に対する利用者の接触操作に応じて、前記カラオケ装置１６により併行して出力される複数（本実施例では２曲）の演奏曲の出力割合を変更させる入力信号をそのカラオケ装置１６へ送信する。具体的には、利用者が前記ミックスつまみ１４０を操作してそのスライド可能範囲における相対位置が変化した場合、その相対位置に応じて制御対象である複数の演奏曲の入力割合を変化させる入力信号を、前記インターフェイス８８及びＬＡＮ２４等を介して前記カラオケ装置１６へ送信する。前記ミックスつまみ１４０の相対位置と複数の演奏曲の出力割合との関係は、例えばそのミックスつまみ１４０が図６の紙面向かって上方向に位置させられるほど第１の演奏曲（１ｓｔトラックの曲）の出力割合が大きくなり、下方向に位置させられるほど第２の演奏曲（２ｎｄトラックの曲）の出力割合が大きくなるように予め定められたものであり、前記ミックスつまみ入力制御手段１１８は、好適には、その最上位置においては第１の演奏曲の出力割合が１００％且つ第２の演奏曲の出力割合が０％、その最下位置においては第１の演奏曲の出力割合が０％且つ第２の演奏曲の出力割合が１００％とされるような入力信号を前記カラオケ装置１６へ送信する。
【００３５】
前記停止／再開ボタン入力制御手段１２０は、前記タッチパネルディスプレイ６８（タッチパネル７６）における前記停止／再開ボタン１４２に相当する部分に対する利用者の接触操作に応じて、前記カラオケ装置１６により併行して出力される複数の演奏曲のうち何れかの演奏曲の出力を停止又は再開させるための入力信号をそのカラオケ装置１６へ送信する。具体的には、第１の演奏曲に対応する停止／再開ボタン１４２が図６に示すように「停止」を示す表示とされている状態においてその停止／再開ボタン１４２が利用者の接触操作により押された場合、第１の演奏曲の演奏を停止させるための入力信号を前記カラオケ装置１６へ送信すると共に、押された停止／再開ボタン１４２の表示を前記ＤＪモード表示制御手段１１０により図７に示すように「再開」を示すものに変更させる。また、第１の演奏曲に対応する停止／再開ボタン１４２が図７に示すように「再開」を示す表示とされている状態においてその停止／再開ボタン１４２が利用者の接触操作により押された場合、第１の演奏曲の演奏を再開させるための入力信号を前記カラオケ装置１６へ送信すると共に、押された停止／再開ボタン１４２の表示を前記ＤＪモード表示制御手段１１０により図６に示すように「停止」を示すものに変更させる。斯かる制御は、第２の演奏曲に対応して表示された停止／再開ボタン１４２についても同様に実行される。
【００３６】
図５に戻って、前記ＤＪモード演奏制御手段１２２は、前記電子早見本装置２２から送信される入力信号に応じて、本実施例のＤＪモードにおける所定の演奏制御を行う。斯かる制御を行うために、演奏速度制御手段１２４、音程制御手段１２６、音量制御手段１２８、出力割合制御手段１３０、及び停止／再開制御手段１３２を含んでいる。以下、これらの制御機能による演奏制御について分説する。
【００３７】
上記演奏速度制御手段１２４は、前記ターンテーブル入力制御手段１１４により送信（入力）される入力信号に応じて、前記シンセサイザ３８から出力される演奏曲の演奏速度（出力速度）を制御する。前記シンセサイザ３８により複数の演奏曲が併行して演奏されている場合には、制御対象曲として何れか一方（例えば１ｓｔトラック）の演奏曲の演奏速度を制御する。ここで、前記タッチパネルディスプレイ６８に表示されたターンテーブル１３６の回転各速度が比較的短い時間に急速に変化させられ、それに対応する入力信号が前記ターンテーブル入力制御手段１１４により連続的に送信されてくることが考えられるが、上記演奏速度制御手段１２４は、そのように連続的に送信されてくる入力信号に追従して制御対象である演奏曲の演奏速度を連続的（シームレス）に変化させる制御を行う。
【００３８】
前記音程制御手段１２６は、前記ターンテーブル入力制御手段１１４により送信される入力信号に応じて、前記シンセサイザ３８から出力される演奏曲の音程（音高）を制御する。前記シンセサイザ３８により複数の演奏曲が併行して演奏されている場合には、制御対象曲として何れか一方（例えば１ｓｔトラック）の演奏曲の音程を制御する。ここで、前記タッチパネルディスプレイ６８に表示されたターンテーブル１３６の回転各速度が比較的短い時間に急速に変化させられ、それに対応する入力信号が前記ターンテーブル入力制御手段１１４により連続的に送信されてくることが考えられるが、前記音程制御手段１２６は、そのように連続的に送信されてくる入力信号に追従して制御対象である演奏曲の音程を連続的に変化させる制御を行う。
【００３９】
前記音量制御手段１２８は、前記ボリュームつまみ入力制御手段１１６により送信される入力信号に応じて、前記シンセサイザ３８から出力される演奏曲の音量（ボリューム）を制御する。前記ボリュームつまみ入力制御手段１１６により送信される入力信号が第１の演奏曲に対応するものである場合、第１の演奏曲の音量を制御する。また、その入力信号が第２の演奏曲に対応するものである場合、第２の演奏曲の音量を制御する。ここで、前記タッチパネルディスプレイ６８に表示されたボリュームつまみ１３８の相対位置が比較的短い時間に急速に変化させられ、それに対応する入力信号が前記ボリュームつまみ入力制御手段１１６により連続的に送信されてくることが考えられるが、上記音量制御手段１２８は、そのように連続的に送信されてくる入力信号に追従して制御対象である演奏曲の音量を連続的に変化させる制御を行う。
【００４０】
前記出力割合制御手段１３０は、前記ミックスつまみ入力制御手段１１８により送信される入力信号に応じて、前記シンセサイザ３８から併行して出力される複数の演奏曲の出力割合を制御する。具体的には、それら複数の演奏曲それぞれの音量を、一方の演奏曲の音量がｎ％である場合、もう一方の演奏曲の音量が１００−ｎ％となるように制御する。ここで、前記タッチパネルディスプレイ６８に表示されたミックスつまみ１４０の相対位置が比較的短い時間に急速に変化させられ、それに対応する入力信号が前記ミックスつまみ入力制御手段１１８により連続的に送信されてくることが考えられるが、上記出力割合制御手段１３０は、そのように連続的に送信されてくる入力信号に追従して制御対象である複数の演奏曲の出力割合を連続的に変化させる制御を行う。
【００４１】
前記停止／再開制御手段１３２は、前記停止／再開ボタン入力制御手段１２０により送信される入力信号に応じて、前記シンセサイザ３８により出力される得演奏曲の出力を停止又は再開させる制御を行う。前記停止／再開ボタン入力制御手段１２０により送信される入力信号が第１の演奏曲に対応するものである場合、第１の演奏曲の出力を停止又は再開させる。また、その入力信号が第２の演奏曲に対応するものである場合、第２の演奏曲の出力を停止又は再開させる。
【００４２】
図８は、前記電子早見本装置２２のＣＰＵ８０によるＤＪモード表示／入力制御の要部を説明するフローチャートであり、所定の周期で繰り返し実行されるものである。
【００４３】
先ず、ステップ（以下、ステップを省略する）ＳＡ１において、前記タッチパネルディスプレイ６８に表示された図示しないトップ画面等において、ＤＪモードを開始させるための所定のタッチ入力操作が行われたか否かが判断される。このＳＡ１の判断が否定される場合には、それをもって本ルーチンが終了させられるが、ＳＡ１の判断が肯定される場合には、前記ＤＪモード表示制御手段１１０の動作に対応するＳＡ２において、前記ターンテーブルデータベース１０２に記憶された情報に基づいて、前記タッチパネルディスプレイ６８に図６に示すようなターンテーブルセット映像１３４が表示される。次に、ＳＡ３において、前記タッチパネルディスプレイ６８に表示されたターンテーブル１３６に相当する部分に対する利用者の接触操作が行われたか否かが判断される。このＳＡ３の判断が否定される場合には、ＳＡ５以下の処理が実行されるが、ＳＡ３の判断が肯定される場合には、ＳＡ４において、前記ターンテーブル１３６をその中心まわりになぞる速度に応じてそのターンテーブル１３６の回転速度が算出され、その算出結果に応じて制御対象である演奏曲の出力速度及び音程を同期的に変更させるための入力信号が前記カラオケ装置１６へ送信された後、ＳＡ５において、前記タッチパネルディスプレイ６８に表示されたボリュームつまみ１３８に相当する部分に対する利用者の接触操作が行われたか否かが判断される。このＳＡ５の判断が否定される場合には、ＳＡ７以下の処理が実行されるが、ＳＡ５の判断が肯定される場合には、ＳＡ６において、前記ボリュームつまみ１３８の相対位置変化に応じて制御対象である演奏曲の音量を変化させるための入力信号が前記カラオケ装置１６へ送信された後、ＳＡ７において、前記タッチパネルディスプレイ６８に表示されたミックスつまみ１４０に相当する部分に対する利用者の接触操作が行われたか否かが判断される。このＳＡ７の判断が否定される場合には、ＳＡ９以下の処理が実行されるが、ＳＡ７の判断が肯定される場合には、ＳＡ８において、前記ミックスつまみ１４０の相対位置変化に応じて制御対象である複数の演奏曲の入力割合を変化させるための入力信号が前記カラオケ装置１６へ送信された後、ＳＡ９において、前記タッチパネルディスプレイ６８に表示された停止／再開ボタン１４２に相当する部分に対する利用者の接触操作が行われたか否かが判断される。このＳＡ９の判断が否定される場合には、ＳＡ１１以下の処理が実行されるが、ＳＡ９の判断が肯定される場合には、ＳＡ１０において、併行して出力される演奏曲のうち何れか一方の演奏曲の出力を停止又は再開させるための入力信号が前記カラオケ装置１６へ送信された後、ＳＡ１１において、前記タッチパネルディスプレイ６８によりＤＪモードを解除させるための所定のタッチ入力操作が行われたか否かが判断される。このＳＡ１１の判断が否定される場合には、ＳＡ３以下の処理が再び実行されるが、ＳＡ１１の判断が肯定される場合には、それをもって本ルーチンが終了させられる。以上の制御において、ＳＡ３乃至ＳＡ１０が前記ＤＪモード入力制御手段１１２の動作に対応する。
【００４４】
図９は、前記カラオケ装置１６のＣＰＵ５０によるＤＪモード演奏制御の要部を説明するフローチャートであり、所定の周期で繰り返し実行されるものである。
【００４５】
先ず、ＳＢ１において、前記電子早見本装置２２からＤＪモードを開始させるための信号の入力があったか否かが判断される。このＳＢ１の判断が否定される場合には、それをもって本ルーチンが終了させられるが、ＳＢ１の判断が肯定される場合には、ＳＢ２において、前記ＲＡＭ５４等に設けられた予約曲テーブル上位から２曲の予約曲に対応するカラオケ情報が、制御対象曲の情報として前記カラオケデータベース１０４から読み出され、最上位の曲が第１の演奏曲として１ｓｔトラックに、第２位の曲が第２の演奏曲として２ｎｄトラックにそれぞれ格納される。次に、ＳＢ３において、前記ターンテーブル１３６による制御対象曲すなわち１ｓｔトラック曲のボリュームが０に設定されて、ＳＢ２にて読み出された２曲の演奏曲の出力が同時に開始される。次に、ＳＢ４において、前記電子早見本装置２２から前記ターンテーブル１３６の操作に対応する信号の入力があったか否かが判断される。このＳＢ４の判断が否定される場合には、ＳＢ６以下の処理が実行されるが、ＳＢ４の判断が肯定される場合には、ＳＢ５において、前記電子早見本装置２２から入力された信号に応じて制御対象である演奏曲の演奏速度及び音程が変化させられた後、ＳＢ６において、前記電子早見本装置２２から前記ボリュームつまみ１３８の操作に対応する信号の入力があったか否かが判断される。このＳＢ６の判断が否定される場合には、ＳＢ８以下の処理が実行されるが、ＳＢ６の判断が肯定される場合には、ＳＢ７において、前記電子早見本装置２２から入力された信号に応じて制御対象である演奏曲の音量が変化させられた後、ＳＢ８において、前記電子早見本装置２２から前記ミックスつまみ１４０の操作に対応する信号の入力があったか否かが判断される。このＳＢ８の判断が否定される場合には、ＳＢ１０以下の処理が実行されるが、ＳＢ８の判断が肯定される場合には、ＳＢ９において、前記電子早見本装置２２から入力された信号に応じて制御対象である複数の演奏曲の出力割合が変化させられた後、ＳＢ１０において、前記電子早見本装置２２から前記停止／再開ボタン１４２の操作に対応する信号の入力があったか否かが判断される。このＳＢ１０の判断が否定される場合には、ＳＢ１２以下の処理が実行されるが、ＳＢ１０の判断が肯定される場合には、ＳＢ１１において、前記電子早見本装置２２から入力された信号に応じて制御対象である演奏曲の出力が停止又は再開させられた後、ＳＢ１２において、制御対象である２曲の演奏曲のうち何れか一方の演奏曲の演奏が終了したか否かが判断される。このＳＢ１２の判断が肯定される場合には、ＳＢ１３において、前記ＲＡＭ５４等に設けられた予約曲テーブル最上位の曲が新たな制御対象曲として前記カラオケデータベース１０４から読み出され、演奏終了した側のトラックに格納された後、ＳＢ３以下の処理が再び実行されるが、ＳＢ１２の判断が否定される場合には、ＳＢ１４において、前記電子早見本装置２２からＤＪモードを解除させるための信号の入力があったか否かが判断される。このＳＢ１４の判断が否定される場合には、ＳＢ３以下の処理が再び実行されるが、ＳＢ１４の判断が肯定される場合には、それをもって本ルーチンが終了させられる。以上の制御において、ＳＢ２乃至ＳＢ１３が前記ＤＪモード演奏制御手段１２２の動作に対応する。
【００４６】
このように、本実施例によれば、前記カラオケ装置１６により出力される演奏曲の出力速度及び音程を同期的に変更させる入力を行うためのターンテーブル１３６を、利用者の接触に応じての操作可能に前記タッチパネルディスプレイ６８に表示させるＤＪモード表示制御手段１１０（ＳＡ２）及びＤＪモード入力制御手段１１２（ＳＡ３乃至ＳＡ１０）を備えたものであることから、前記電子早見本装置２２により前記カラオケ装置１６による演奏を制御するための擬似的なターンテーブル型インターフェイスを実現でき、あたかもクラブでＤＪが行うような従来になかった演奏形態が可能とされる。すなわち、カラオケ装置１６による演奏に新たな娯楽性を付加する電子早見本装置２２を提供することができる。
【００４７】
また、前記ＤＪモード表示制御手段１１０及びＤＪモード入力制御手段１１２は、前記カラオケ装置１６により出力される演奏曲の音量を変更させる入力を行うためのボリュームつまみ１３８を、利用者の接触に応じての操作可能に前記タッチパネルディスプレイ６８に表示させるものであるため、更に実物に近く本格的な操作が可能なターンテーブル型インターフェイスを前記電子早見本装置２２により実現できるという利点がある。
【００４８】
また、前記カラオケ装置１６は、複数の演奏曲を併行して出力し得るものであり、前記ＤＪモード表示制御手段１１０及びＤＪモード入力制御手段１１２は、そのカラオケ装置１６により併行して出力される演奏曲それぞれに対応して前記ボリュームつまみ１３８を前記タッチパネルディスプレイ６８に表示させるものであるため、更に実物に近く本格的な操作が可能なターンテーブル型インターフェイスを前記電子早見本装置２２により実現できるという利点がある。
【００４９】
また、前記ＤＪモード表示制御手段１１０及びＤＪモード入力制御手段１１２は、前記カラオケ装置１６により併行して出力される複数の演奏曲の出力割合を変更させる入力を行うためのミックスつまみ１４０を、利用者の接触に応じての操作可能に前記タッチパネルディスプレイ６８に表示させるものであるため、更に実物に近く本格的な操作が可能なターンテーブル型インターフェイスを前記電子早見本装置２２により実現できるという利点がある。
【００５０】
また、前記ＤＪモード表示制御手段１１０及びＤＪモード入力制御手段１１２は、前記カラオケ装置１６により併行して出力される複数の演奏曲のうち何れかの演奏曲の出力を停止させる入力を行うための停止／再開ボタン１４２を、利用者の接触に応じての操作可能に前記タッチパネルディスプレイ６８に表示させるものであるため、更に実物に近く本格的な操作が可能なターンテーブル型インターフェイスを前記電子早見本装置２２により実現できるという利点がある。
【００５１】
また、前記ＤＪモード表示制御手段１１０及びＤＪモード入力制御手段１１２は、前記停止／再開ボタン１４２により出力が停止された演奏曲の出力を再開させる入力を行うための停止／再開ボタン１４２を、利用者の接触に応じての操作可能に前記タッチパネルディスプレイ６８に表示させるものであるため、更に実物に近く本格的な操作が可能なターンテーブル型インターフェイスを前記電子早見本装置２２により実現できるという利点がある。
【００５２】
以上、本発明の好適な実施例を図面に基づいて詳細に説明したが、本発明はこれに限定されるものではなく、更に別の態様においても実施される。
【００５３】
例えば、前述の実施例において、前記電子早見本装置２２のＣＰＵ８０に備えられたＤＪモード入力制御手段１１２は、前記タッチパネルディスプレイ６８に表示されたターンテーブル１３６に対する利用者の接触操作に応じてそのターンテーブル１３６の回転速度を算出し、その算出結果に応じて制御対象である演奏曲の出力速度及び音程を同期的に変更させる入力信号を前記カラオケ装置１６へ送信するものであったが、本発明はこれに限定されるものではなく、例えば、前記タッチパネルディスプレイ６８に表示されたターンテーブル１３６に対する利用者の接触操作に関する情報すなわち前述の実施例では座標の変化に関する情報を前記ＤＪモード入力制御手段１１２により前記カラオケ装置１６へ送信し、その座標の変化に対応する出力速度及び音程の変化の計算はそのカラオケ装置１６の側で行うものであってもよい。同様に、前記タッチパネルディスプレイ６８に表示されたボリュームつまみ１３８及びミックスつまみ１４０の相対位置変化に関する情報を前記ボリュームつまみ入力制御手段１１６及びミックスつまみ入力制御手段１１８により前記カラオケ装置１６へ送信し、その相対位置変化に対応する音量及び出力割合の計算はそのカラオケ装置１６側で行うものであっても構わない。
【００５４】
また、前述の実施例において、前記ＤＪモード入力制御手段１１２及びＤＪモード演奏制御手段１２２は、２曲の演奏曲を制御対象曲とし、前記電子早見本装置２２のタッチパネルディスプレイ６８に表示された各演奏曲に対応するボリュームつまみ１３８に対する利用者の接触操作に応じてそれら演奏曲それぞれの音量を制御するものであったが、何れか一方の演奏曲の音量のみ制御可能とし、もう一方の演奏曲の音量は制御不能としてもよい。この場合、制御不能である演奏曲に対応するボリュームつまみ１３８は前記タッチパネルディスプレイ６８に表示されない。また、前記停止／再開ボタン１４２に対する利用者の接触操作に応じた演奏曲の出力停止乃至は再開制御も、何れか一方の演奏曲のみ可能としても構わない。この場合、制御不能である演奏曲に対応する停止／再開ボタン１４２は前記タッチパネルディスプレイ６８に表示されない。
【００５５】
また、前述の実施例において、前記ＤＪモード入力制御手段１１２及びＤＪモード演奏制御手段１２２は、併行して出力される２曲の演奏曲を制御対象とするものであったが、１曲の演奏曲を制御対象とする構成も当然に考えられる。その場合、前記ミックスつまみ１４０及び停止／再開ボタン１４２は前記タッチパネルディスプレイ６８に表示されない。更には、前記タッチパネルディスプレイ６８に前記ターンテーブル１３６のみ表示させ、そのターンテーブル１３６に対する利用者の接触操作に応じた演奏曲の演奏速度及び音程の制御のみを行うものであっても構わない。
【００５６】
また、前述の実施例において、前記ＤＪモード入力制御手段１１２及びＤＪモード演奏制御手段１２２は、前記タッチパネルディスプレイ６８に表示される単一のターンテーブル１３６に対する利用者の接触操作に基づいて演奏曲の出力速度及び音程を制御するものであったが、前記カラオケ装置１６により併行して出力される複数の演奏曲それぞれに対応して複数のターンテーブル１３６を前記タッチパネルディスプレイ６８に表示させ、各演奏曲の出力速度及び音程を併行して制御できるようにしてもよい。更には、複数の前記電子早見本装置２２を用いて、前記カラオケ装置１６により併行して出力される演奏曲の出力速度及び音程等をそれぞれの電子早見本装置２２により制御する態様も考えられる。
【００５７】
その他、一々例示はしないが、本発明はその趣旨を逸脱しない範囲内において種々の変更が加えられて実施されるものである。
【図面の簡単な説明】
【００５８】
【図１】本発明が好適に適用されるカラオケシステムを説明する概略図である。
【図２】図１のカラオケシステムに備えられたカラオケ装置の構成を例示するブロック線図である。
【図３】図１のカラオケシステムに備えられた、本発明の一実施例である電子早見本装置の外観を大まかに示す斜視図である。
【図４】図３の電子早見本装置の構成を例示するブロック線図である。
【図５】図２のカラオケ装置のＣＰＵ及び図４の電子早見本装置のＣＰＵに備えられた制御機能の要部を説明する機能ブロック線図である。
【図６】図４の電子早見本装置のタッチパネルディスプレイに表示されるターンテーブルセット映像を例示する図である。
【図７】図６のターンテーブルセット映像において１ｓｔトラック曲に対応する停止／再開ボタンが押された状態を示す図である。
【図８】図４の電子早見本装置のＣＰＵによるＤＪモード表示／入力制御の要部を説明するフローチャートである。
【図９】図２のカラオケ装置のＣＰＵによるＤＪモード演奏制御の要部を説明するフローチャートである。
【符号の説明】
【００５９】
１６：カラオケ装置
２２：電子早見本装置
６８：タッチパネルディスプレイ
１１０：ＤＪモード表示制御手段
１１２：ＤＪモード入力制御手段
１３６：ターンテーブル
１３８：ボリュームつまみ
１４０：ミックスつまみ
１４２：停止／再開ボタン
【図１】
2008242263.tif 000003
【図２】
2008242263.tif 000004
【図３】
2008242263.tif 000005
【図４】
2008242263.tif 000006
【図５】
2008242263.tif 000007
【図６】
2008242263.tif 000008
【図７】
2008242263.tif 000009
【図８】
2008242263.tif 000010
【図９】
2008242263.tif 000011